(57)【要約】　　　（修正有）【課題】弁軸の回転数をセンサで検出することにより、仕切弁体の開閉位置を確実に認識することができるようにする。【解決手段】流水管に接続可能な弁ケーシング７内に、該弁ケーシング内の流通路を開閉する仕切弁体５が内蔵され、該仕切弁体は、弁軸１５を回転させることにより、開閉動作するようにした仕切弁装置と、前記弁軸を回転するための回転手段２３とを備えた仕切弁装置の開閉回転数確認装置において、前記回転手段により回転される弁軸の回転数を検出するためのセンサ２５と、該センサの信号に基づいて弁軸の回転数をカウントとするカウント装置２７とを備えたことにある。【選択図】　　　図１
2004132504.tif 000002
【特許請求の範囲】
【請求項１】
流水管に接続可能な弁ケーシング内に、該弁ケーシング内の流通路を開閉する仕切弁体が内蔵され、該仕切弁体は、弁軸を回転させることにより、開閉動作するようにした仕切弁装置と、前記弁軸を回転するための回転手段とを備えた仕切弁装置の開閉回転数確認装置において、前記回転手段により回転される弁軸の回転数を検出するためのセンサと、該センサの信号に基づいて弁軸の回転数をカウントとするカウント装置とを備えたことを特徴とする仕切弁装置の開閉回転数確認装置。
【請求項２】
前記カウント装置は、弁軸の回転数を逐次表示する構成である請求項１に記載の仕切弁装置の開閉回転数確認装置。
【発明の詳細な説明】
【０００１】
【発明の属する技術分野】
本発明は、例えば地中に埋設される水道管等の流水管に接続される仕切弁装置の開閉回転数確認装置に関する。
【０００２】
【従来の技術】
例えば、水道管のように既設又は新設の流水管は、図３に示す如く地中に埋設されると共に、必要に応じて地面５０に形成された弁室４９内に収容された仕切弁装置５１が接続されているのが一般的である。かかる仕切弁装置５１は、流水管５３に接続可能な弁ケーシング５４内に、その流通路５４ａを開閉するための仕切弁体５５が昇降自在に内蔵され、しかも、仕切弁体５５は、弁軸５６を回転させることにより、昇降して開閉動作するようにしたものである。
【０００３】
そして、前記仕切弁装置５１の仕切弁体５５を開閉動作するに際しては、作業者が、棒状の開栓キー５８の一端部を、弁軸５６の上端部に相対回転不可能に嵌合させ、該開栓キー５８を介して弁軸５６を正逆回転させることにより、仕切弁体５６を、図３に仮想線で示す閉塞位置Ａと、実線で示す開放位置Ｂとに位置変更できるように、昇降移動させていた。
【０００４】
【発明が解決しようとする課題】
しかしながら、作業者は、例えば仕切弁体５５が閉塞位置Ａから所定の開放位置Ｂまで移動させる場合には、予め設定されている回転数だけ弁軸５６を回転させる必要があるのであるが、作業者は、弁軸５６の回転数を数えながら作業を行っているため、作業能率が悪かった。具体的には、作業者は、回転数を数え間違いしたり、弁軸の５６回転数を数えている最中に、別の作業を余儀なくされ、弁軸５６の回転作業を中断する場合がある。かかる場合には、現状において、弁軸５６を何回回転させたか確認する手段がないため、一旦、仕切弁体５５を閉塞位置Ａに戻してから、再び開放すべく、弁軸５６を回転させる必要があった。
【０００５】
また、開放されている仕切弁装置の仕切弁体５５を閉じる場合でも同様に、弁軸の回転数を確認する手段がないため、作業能率が悪く、仕切弁体の締めすぎや、閉塞不完全な状態が発生するおそれがあった。
【０００６】
本発明は、このような問題点に着目してなされたもので、弁軸の回転数をセンサで検出することにより、仕切弁体の開閉位置を確実に認識することができるようにすることを課題とする。
【０００７】
【課題を解決するための手段】
本発明は、前記課題を解決するためになされたもので、その技術的手段は、流水管に接続可能な弁ケーシング内に、該弁ケーシング内の流通路を開閉する仕切弁体が内蔵され、該仕切弁体は、弁軸を回転させることにより、開閉動作するようにした仕切弁装置と、前記弁軸を回転するための回転手段とを備えた仕切弁装置の開閉回転数確認装置において、前記回転手段により回転される弁軸の回転数を検出するためのセンサと、該センサの信号に基づいて弁軸の回転数をカウントとするカウント装置とを備えたことにある。
【０００８】
そして、作業者は、カウント装置により弁軸の回転数を確実に知ることができ、仕切弁体の締めすぎや、閉塞不完全な状態が発生するのを防止することができる。
【０００９】
更に、前記カウント装置は、弁軸の回転数を逐次表示する構成であるのが好ましい。
【００１０】
【発明の実施の形態】
以下、本発明の一実施形態を図１及び図２にしたがって説明する。本仕切弁装置は、両端に図示の流水管に接続されるフランジ部２を有する弁箱１と、該弁箱１の上端に接合される弁蓋３と、弁箱１及び弁蓋３内に内蔵された仕切弁体５を備えている。尚、弁箱１と弁蓋３により弁ケーシング７が構成されていると共に、弁ケーシング７は、地面１１を掘削して形成され且つ弁きょう６を上部に有する弁室９内に収納されている。前記弁箱１の上開口端には、フランジ部１０が設けられ、該フランジ部１０には、前記弁蓋３のフランジ部１２が水密状に接合されている。
【００１１】
前記仕切弁体５は、例えばゴム製のシール部（図示省略）を有しており、仕切弁体５内に弁軸１５が回転自在に挿入されている。そして、仕切弁体５は、弁軸１５を正逆方向に回転させることにより、閉塞位置Ａと開放位置Ｂとに位置変更できるように、流通路１６の直交方向に昇降可能になっている。尚、仕切弁体５の閉塞位置Ａとは、シール部が弁箱１の内面に圧接して弁箱１の流通路１６のを流れる流体を遮断する位置をいう。また、開放位置Ｂとは、所定量の流体が弁箱１内を流れるシール部の位置をいい、弁軸１５の回転回数によって、任意に調整できるようになっている。
【００１２】
前記弁軸１５の上部は、弁蓋３から上方に突出しており、その上部には、棒状の開栓キー１６の下部に設けられた係合部１７が、相対回転不可能で且つ着脱自在に嵌合される被係合部２０が形成さている。また、前記開栓キー１６の一端部（上部）には、挿通孔２１が形成され、該挿通孔２１には、開栓キー１６を回転させるための開栓棒２２が挿脱自在に挿入されている。尚、開栓キー１６及び開栓棒２２により回転手段２３が構成されている。
【００１３】
前記開栓キー１６の他端部（下部側で且つ前記係合部１７の近傍）には、被検知手段としてのテープ２４が貼着されている。また、地面１１には、前記テープ２４を検出するためのセンサ２５が設置されている。該センサ２５は、テープ２４の表示部（印刷部）を検出するもので、具体的には、色別又は光沢度を検知するものが好ましく、開栓キー１６の１回転毎に検知するようになっている。尚、テープ２４は、開栓キー１６の一部であっても全周に貼着するようにしても良い。
【００１４】
また、地面１１には、前記センサ２５の信号に基づいて開栓キー１６の回転数をカウントし、その回転数を表示する表示手段２８を備えたカウント装置２７が設けられている。
【００１５】
次に、前記仕切弁装置を開閉動作する場合について説明する。該仕切弁装置は、地面１１に埋設された流水管に接続された後に、弁軸１５を所定の回転数だけ回転させることにより、仕切弁体５のシール部を上昇させて所定量開放することとなる。具体的には、作業者３０は、開閉棒２２を開栓キー１６の挿通孔２１に挿通し、仕切弁体５の開放方向（仕切弁体５が上昇する方向）に回転させる。このとき、センサ２５は、開栓キー１６に設けられたテープ２４を、開栓キー１６の回転毎に検出し、その信号がカウント装置２７に送られる。
【００１６】
カウント装置２７は、センサ２５からの信号に基づいて開栓キー１６及び弁軸１５の回転数をカウントし、その回転数を表示手段２８が逐次表示する。作業者３０は、表示手段２８を目視することにより、弁軸１５の回転数を確認できるため、仕切弁装置により予め設定されている回転数になるまで、弁軸１５を確実に所定回数まで回転させることができる。仮に作業者３０が交代する場合であっても、交代した作業者３０は、カウント装置２７の表示手段２８に表示されている表示回数を確認することにより、残りの回転数分だけ、開栓キー１６を回転させれば良いこととなる。
また、一人の作業者３０が、弁開放作業を一旦中断した後に、その作業を再開する場合であっても、表示手段２８に表示されている表示回数を確認することにより、残りの回転数分だけ、弁軸１５を回転させれば良いこととなり、仕切弁体５を所定の開放位置Ｂまで確実に開放することができる。
【００１７】
また、反対に開放位置Ｂにある仕切弁装置の仕切弁体５を閉塞する場合には、前記とは反対方向に開栓キー１６を回転させる。かかる場合も、センサ２５は、回転するテープ２４を検出することとなり、カウント装置２７は、センサ２５からの信号基づいて回転数を表示することができる。尚、表示手段２８の表示回転数は、加算される場合であっても、減数される場合であっても良い。
【００１８】
本発明は上記実施の形態に限定されるものではなく、例えば、開栓キー１６に設けられる被検出手段２４は、テープに限らず、開栓キー１６に設けた凹凸部であっても良く、特に限定されるものではない。また、センサ２５の種類も、前記被検出手段２４を検出できるものであれば、特に限定されるものではない。
【００１９】
また、カウント装置２７は、開栓キー１６の回転数を表示する以外に、所定の回転数になった際に、警報を発するようにしても良く、要は、作業者が所定の回転数を確実に確認できる手段であれば良い。
【００２０】
また、流水管は水道管等の任意のものが採用可能であり、例えば既設の流水管内を流れる流体は、水道水の他の液体であっても本発明の範囲に含まれる。
【００２１】
【発明の効果】
以上のように、本発明の仕切弁装置の開閉回転数確認装置は、弁軸の回転数を検出するためのセンサと、該センサの信号に基づいて弁軸の回転数をカウントとするカウント装置とを備えているので、弁軸の回転数を検出することができるようなり、作業現場において、作業者は、仕切弁体の開閉動作を確実且つ容易に認識して行える利点がある。
【図面の簡単な説明】
【図１】本発明の第一実施の形態を示す断面斜視図である。
【図２】同仕切弁装置の開閉回転数確認装置の概略図である。
【図３】従来例を示す断面図である。
【符号の説明】
７…弁ケーシング、５…仕切弁体、１５…弁軸、２３…回転手段、２４…被検知手段（テープ）、２５…センサ、２７…カウント装置
【図１】
2004132504.tif 000003
【図２】
2004132504.tif 000004
【図３】
2004132504.tif 000005